(57)【特許請求の範囲】
【請求項１】
オーディオ記録媒体から該記録媒体に収録されている曲の情報を記録したデータ部分を検索する収録曲情報検索部と、
検索した収録曲情報をリスト化してメモリする検索情報リスト作成部と、
前記検索情報リストを、指定された特定の項目についてグループ別に並び替えを行いメモリする並び替えリスト作成部と、
前記並べ替えられたグループ別のリストから特定のグループを選択する再生グループ指定部と、
指定された再生グループ内の曲を再生するオーディオ再生部とを備えたオーディオプレーヤにおいて、
前記収録曲情報検索部では、記録媒体の中で各曲の特徴部が収録されているデータ記録位置を示す情報を検索し、
オーディオ再生部では、前記並び替えリストにおけるグループ毎の代表曲を選定し、その曲の特徴部が記録されている位置を含む情報読み取り、記録媒体のその曲の特徴部を再生し、
前記再生グループ指定部では、オーディオ再生部による前記曲の特徴部の再生に対応して再生を希望するグループを指定することを特徴とするオーディオプレーヤ。
【請求項２】
前記オーディオ記録媒体に収録されている曲はＭＰ３の形式で記録されたものであり、前記収録されている曲の特徴部分に関する情報を記録したデータ部分はＩＤ３タグ部分であることを特徴とする請求項１記載のオーディオプレーヤ。
【請求項３】
前記グループ別に並び替える項目は、アーティスト、またはジャンル、またはアルバムであることを特徴とする請求項１記載のオーディオプレーヤ。
【請求項４】
前記曲の特徴部は、利用者が指定した部分、または歌詞が繰り返される部分、または曲の先頭部であることを特徴とする請求項１記載のオーディオプレーヤ。
【請求項５】
前記グループの代表曲は、リスト中の最初の曲、またはリリースされた最先の曲、またはこのプレーヤで以前聴いたことのある曲であることを特徴とする請求項１記載のオーディオプレーヤ。
【請求項６】
前記リストをディスプレイに表示することを特徴とする請求項１記載のオーディオプレーヤ。
【発明の詳細な説明】
【０００１】
【発明の属する技術分野】
本発明は、ＭＰ３形式で圧縮されたオーディオデータ等を再生するオーディオプレーヤに関し、特に、１枚のディスクに大量の曲がＭＰ３形式等で圧縮されて格納されているオーディオデータの中から、所望のアーティストや所望のジャンルの曲を容易に選択して再生することができるようにしたオーディオプレーヤに関する。
【０００２】
【従来の技術】
パソコンを初め、ＤＶＤ等のビデオ機器や各種オーディオ機器においては、ビデオデータやオーディオデータを小型の記録媒体に大量に記憶するため、また大量のこれらのデータを短時間で送信するため種々のデータ圧縮技術により圧縮して使用している。このようなデータ圧縮の国際規格としてＭＰＥＧが広く用いられ、特にオーディオの高圧縮技術としてＭＰ３［Ｍｏｖｉｎｇ  ＰｉｃｔｕｒｅＥｘｐｅｒｔｓ  Ｇｒｏｕｐ（ＭＰＥＧ）  Ａｕｄｉｏ  Ｌａｙｅｒ−３］が用いられるようになっている。なお、ＭＰＥＧ  Ａｕｄｉｏ  Ｌａｙｅｒ−３には、ＭＰＥＧ−１．０  Ａｕｄｉｏ  Ｌａｙｅｒ−３、ＭＰＥＧ−２．０Ａｕｄｉｏ  Ｌａｙｅｒ−３、ＭＰＥＧ−２．５  Ａｕｄｉｏ  Ｌａｙｅｒ−３等が存在し、主としてするが、以下これらをまとめてＭＰ３と略称する。
【０００３】
このＭＰ３においては、オーディオデータをＣＤとほぼ同じ品質のままＣＤの約１１分の１に圧縮できるため、６５０ＭＢ格納できるＣＤの約１１倍のオーディオデータを記録することができる。そのため、通常の曲の場合１５０曲程度を１枚のＣＤに収録することも可能となり、近年広く用いられているＣＤ−ＲやＣＤ−ＲＷを用いて各個人が多数のＣＤの曲を１枚のＣＤにまとめ、ＭＰ３対応のＣＤプレーヤーで再生することも行われるようになっている。このようなオーディオ記録媒体を用いると、複数のＣＤ等を持ち運ぶ必要が無くなり、例えば車両オーディオプレーヤとしてＣＤディスクチェンジャを必要としなくなるため、この面でも利便性の良いオーディオプレーヤとなる。
【０００４】
また、ＣＤのようなディスクを用いることなく、近年急速に大容量で安価となった半導体チップからなるメモリを用い、ＭＰ３形式でオーディオデータを圧縮して記録することにより、１つのチップで１枚のＣＤの曲を全て収録することもできるようになり、極めて小型で大容量のオーディオデータを扱うことができるプレーヤも開発されている。
【０００５】
特にＭＰ３プレーヤは１チップメモリにオーディオデータを記録することができるため、可動部の無いプレーヤとなり、且つ軽量となるため、携帯用オーディオプレーヤとしては最適であり、特に種々の運動をしながらでも使用することができるため便利である。更に、突然の大きな衝撃にも、また長期間振動が連続しても音飛びを生じることがなく、且つ故障発生部も少なく耐環境性にも優れているので、この面からも今後車両用オーディオプレーヤとしても広く普及することが予想されている。
【０００６】
【発明が解決しようとする課題】
このようなＭＰ３形式で圧縮されたオーディオデータを再生することができるオーディオプレーヤにおいて、例えばＣＤサイズのディスクを用いた場合、１曲約４分とした場合にこれを約４ＭＢで記録できるため、上記のように通常の曲は１５０曲程度は収録できることとなる。ＣＤ−ＲやＣＤ−ＲＷを用いて各個人がディスクに対して多数の曲を収録し、このディスクをＭＰ３対応のＣＤプレーヤにかけて再生するとき、このオーディオプレーヤにおいてはプレーヤが見つけた曲から順に再生することとなり、通常の場合はこのＣＤに曲を記録した順序に再生することとなる。また、常に同じ順序で曲を再生すると飽きがくるので、ランダムに再生することもできるようにしたＭＰ３対応のオーディオプレーヤも存在する。
【０００７】
しかしながら、上記のように各個人が多数の曲を１枚のＣＤに記録した場合、その中には多くのアーティストの曲が収録されることとなり、また、様々なジャンルの曲が収録されることもある。しかも、各個人が上記のような多数の曲をＭＰ３形式でＣＤに記録する際、アーティストやジャンル別等に系統立ててＣＤに記録することができない場合が多く、また全体の容量を考慮して適当なアーティストのみを集め、あるいは同じジャンルの曲のみを集めて記録することは面倒なことである。したがって、現在のオーディオプレーヤにおいては上記のようにプレーヤが見つけた順に再生を行う場合、同じアーティストの曲のみを再生したり、同じジャンルの曲のみを再生することができない場合が多くなる。また、そのときの状況に応じて同じアーティストの曲を集中的に聴き、別の時には同じジャンルの曲のみを集中して聞くような再生方法は困難であり、利用者にとって不便であった。
【０００８】
上記のような問題を解決するため、多数の曲を収録したディスク等のオーディオ記録媒体を用いて曲を再生する際、収録されている曲をアーティストやジャンルによってソートしてこれを表示し、利用者はこれを参照して希望するものを選択するようにしたソフトの開発が進んでいる。これによると、利用者はアーティストやジャンルによってソートされてディスプレイに表示されたリストの中から選択することとなり、ディスプレイの表示面積が限定されていることもあり全体を見ることはできず、したがって表示画面をスクロールしてどのようなアーティストの曲が、あるいはどのようなジャンルの曲が収録されているかを確認する必要がある。
【０００９】
しかも、このようにソートされて表示されたアーティストやジャンルが実際にどのようなものであったかを思い出すことができない場合もあり、自分以外の人が収録したディスクのような場合には更にわかりにくいものとなる。また、特に外国のアーティストの曲を収録したような場合には、あまりなじみのない曲が多くなるため、アーティスト、あるいはジャンルを見ただけではどのような曲が収録されていたのか見当が付かないこともある。
【００１０】
また、このオーディオプレーヤが車両に搭載される際に、その利用者が運転者である場合には、上記のような画面をスクロールしてどのようなアーティストの曲が収録されているか、あるいはどのようなジャンルの曲が収録されているか等を詳細に見ることはできず、更に安全運転に注意を払っている運転者にとっては、このようなリストを見て直ちにどのような曲であったかを思い出すことは困難であり、何らかの対策が要求されていた。
【００１１】
このような問題点は上記のようなＭＰ３形式で圧縮して記録したオーディオデータの再生時に限らず、種々の形式で圧縮して記録したものにおいても同様の問題が生じ、更にはオーディオデータを圧縮せずに１つの記録媒体に多数の曲を収録している場合においても全く同様の問題が生じる。
【００１２】
したがって、本発明は、多数の曲を収録したオーディオ記録媒体を再生するオーディオプレーヤにおいて、収録された曲をグループ分けして、例えば同じアーティストや同じジャンルのグループの曲を選択して聴く際、容易にそのアーティストやジャンルを知ることができ、特定のグループを容易に選択することができるようにしたオーディオプレーヤを提供することを主たる目的とする。
【００１３】
【課題を解決するための手段】
本発明は、上記課題を解決するため、オーディオ記録媒体から該記録媒体に収録されている曲の情報を記録したデータ部分を検索する収録曲情報検索部と、検索した収録曲情報をリスト化してメモリする検索情報リスト作成部と、前記検索情報リストを、指定された特定の項目についてグループ別に並び替えを行いメモリする並び替えリスト作成部と、前記並べ替えられたグループ別のリストから特定のグループを選択する再生グループ指定部と、指定された再生グループ内の曲を再生するオーディオ再生部とを備えたオーディオプレーヤにおいて、前記収録曲情報検索部では、記録媒体の中で各曲の特徴部が収録されているデータ記録位置を示す情報を検索し、オーディオ再生部では、前記並び替えリストにおけるグループ毎の代表曲を選定し、その曲の特徴部が記録されている位置を含む情報を読み取り、記録媒体のその曲の特徴部を再生し、前記再生グループ指定部では、オーディオ再生部による前記曲の特徴部の再生に対応して再生を希望するグループを指定することを特徴とするオーディオプレーヤとしたものである。
【００１４】
また、他の態様として、前記オーディオ記録媒体に収録されている曲はＭＰ３形式で記録されたものであり、前記収録されている曲の特徴部に関する情報を記録したデータ部分はＩＤ３タグ部分であることを特徴とする前記オーディオプレーヤとしたものである。
【００１５】
また、他の態様として、前記グループ別に並び替える項目は、アーティスト、またはジャンル、またはアルバムであることを特徴とする前記オーディオプレーヤとしたものである。
【００１６】
また、他の態様として、前記曲の特徴部は、利用者が指定した部分、または歌詞が繰り返される部分、または曲の先頭部であることを特徴とする前記オーディオプレーヤとしたものである。
【００１７】
また、他の態様として、前記グループの代表曲は、リスト中の最初の曲、またはリリースされた最先の曲、またはこのプレーヤで以前聴いたことのある曲であることを特徴とする前記オーディオプレーヤとしたものである。
【００１８】
また、他の態様として、前記リストをディスプレイに表示することを特徴とする前記オーディオプレーヤとしたものである。
【００１９】
【発明の実施の形態】
本発明の実施の形態を図面に沿って説明する。図１は本発明におけるＭＰ３形式で多数の曲を収録した記録媒体を再生するオーディオプレーヤにおいて、特に収録された曲のリストを作成して任意の方式で再生することができるようにした機能部分を主として示す機能ブロックを示すと共に、各機能ブロックの相互関係を示す機能ブロック図である。
【００２０】
同図において、従来と同様にＣＤ−ＲやＣＤ−ＲＷによりオーディオデータをＭＰ３形式で圧縮して記録する等によって作成されたＣＤ１はプレーヤ２にかけられ、モータ３によって回転され、ディスクの放射方向の軸線上で移動する光ピックアップ４によって記録されたＲＦデータが読み出される。これらのモータ３及び光ピックアップ４は、このオーディオディスクプレーヤの全体を制御するシステムコントローラ１１の信号を入力するサーボドライバ１０によって制御され、再生の開始、停止、ＣＤ１の任意の部分の各種のデータの読み出し等を行うことができる。
【００２１】
光ピックアップ４からの信号はＲＦアンプ５で増幅され、ＭＰ３データの中から後述するような収録曲のアーティスト名、ジャンル番号、曲特徴部情報等の情報を記録したＩＤ３タグ部分のデータ７と、オーディオデータ８とを分離してデコードすることができるＭＰ３システムデコーダ６に入力する。このＭＰ３システムデコーダ６は、システムコントローラ１１により作動が制御され、ここでデコードされたオーディオデータ８は、従来の装置と同様にオーディオ信号出力部１１から出力され、従来と同様に種々の信号処理がなされて図示されないスピーカから出力する。
【００２２】
ＭＰ３のデータにおいては、各曲のファイルの末尾の１２８バイトにＩＤ３タグが記録されており、そのデータフォーマットは図３のように構成されている。即ち、そのタグ部分の最初の３バイトは、この部分がタグであることを示す「ＴＡＧ」の文字が固定的に記録されている。次の３０バイトはＴＲＡＣＫ  ＮＡＭＥ、即ちトラック名を記録する部分とされ、この部分にはその曲の名前としてのタイトル名が記録される。次の３０バイトはＡＩＲＴＩＳＴ  ＮＡＭＥ、即ちアーティスト名を記録する部分とされ、その次の３０バイトはＡＬＵＢＭ  ＮＡＭＥ、即ちアルバム名を記録する部分とされている。また、その次の４バイトはＹＥＡＲ、即ちこの曲がリリースされた年号を記録する部分とされている。
【００２３】
次の３０バイトはＣＯＭＥＮＴ、即ち任意のコメントを記録する部分とされ、この部分には自由なデータを記録することができる。本発明においては各曲の特徴としている部分で、いわゆる「サビ」と呼ばれる部分、曲の開始部分としてのイントロ部分、その曲の中で同じ歌詞が繰り返し演奏される部分等のオーディオデータ部分が入力されているパック番号等を記録する部分とされる。したがって、オーディオプレーヤはこの部分のデータを読み取ることにより、この曲の特徴部が収録されているパック番号等を知ることができ、その番号を指定することにより各曲の特徴部を演奏することが可能となる。
【００２４】
最後に予め番号とジャンル名称との対応が明らかとされているＧＥＮＲＥ、即ちジャンル番号を記録することができる部分となっている。このジャンル番号は例えば図４に示すようにその番号とジャンルが予め決められており、この中でジャンル番号２５０乃至２５５については日本特有の名称が割り当てられている。
【００２５】
上記のようなＩＤ３タグ情報を用いることにより、本発明の装置においてはシステムコントローラ１１がＩＤ３タグデータ検索部１２に指令を出し、このＣＤ１の再生開始時に検索を行い、検索情報リスト１３として示すようなリスとを作成することができる。なお、上記ＩＤ３タグが本発明における収録曲情報に相当し、これを検索するＩＤ３データ検索部１２が、本発明における収録曲情報検索部に相当する。
【００２６】
このリストの例は一部図１に示され、その詳細は図５に示しており、この例においてはＩＤ３タグの前記種々のデータの内、特にタイトル名、アーティスト名、ジャンル名、及び曲の特徴部情報の各項目について、検索された順にＮｏ．１からリストを形成するようにしている。図示の例において最初に検索されたものはＮｏ．１として、タイトル名が「Ｅｍｏｔｉｏｎｓ」、アーティスト名が「Ｍｒｉａｈ  Ｃａｒｒｙ」、ジャンル名が「Ｐｏｐｓ」、前記のような曲の特徴部は第７番目のパックから第１３番目のパックに収録されていることを示しており、Ｎｏ．２以降も同様にリストアップされ、図示のような曲が検索されたことを示している。
【００２７】
なお、図示の実施例において、曲の特徴部が全て第７番目のパックから第１３番目のパックに収録されている例を示しているが、これはＣＤの曲をＭＰ３オーディオデータに変換して収録するとき、曲の特徴部として指定したオーディオデータは第７番目のパックから第１３番目のパックに記録するように指定しているためであり、必要に応じて任意のパック等に記録することができ、そのときにはそのパック番号等がこの曲の特徴部に記録される。
【００２８】
システムコントローラ１１はこの検索情報リストの作成後、あるいは予め、このリストを例えば同じアーティスト毎に並び替えを行う利用者からの指示があった場合、あるいは同じジャンル毎に並び替えを行う指示があった場合等の、項目別並べ替え指定部１４から項目別の並び替えの指定があった場合には、その指示を項目別並び替えリスト作成部１５に出力して、利用者の指定とおりの並び替えを行い、これを項目別並び替えリストメモリ１６に記憶する。この項目別並び替えリストメモリ１６は、前記検索情報リスト１３を記憶したメモリを書き換えることにより同じメモリを用いることもできる。また、この項目別並び替えリストメモリ１６に記録されたリストは、必要に応じてディスプレイに表示して、利用者が特定のアーティストやジャンルを選択する補助とすることができる。更に必要に応じて、ＩＤ３タグデータに含まれている例えばアルバム名等の種々の他のデータに基づいて各種の項目について並べ替えを行い、曲をグループ化することも可能である。
【００２９】
前記のようにして、項目別並べ替え指定部１４から例えばアーティスト名で並び替えを行う指定があったときには、図６に示すリストのように並び替えが行われる。このようにアーティスト名の項目で並び替えが行われた結果、各アーティストでグループ分けがなされ、図示の例ではこの中で曲数の多いアーティストを最初の方にリストアップするようにしている。その結果、この例ではアーティストが「Ｍｒｉａｈ  Ｃａｒｒｙ」のグループが最初にリストアップされ、このアーティストの３曲がここに集められる。以下「Ｇｏｏ  Ｇｏｏ  Ｄｏｌｌｓ」のグループが２曲、「Ａｃｅ  Ｏｆ  Ｂａｃｅ」のグループが２曲、各々グループ化して集められる。この例においては説明をわかりやすくするため記録媒体に７曲のみ存在している例を示しているが、ＣＤ−ＲやＣＤ−ＲＷには１００曲以上の曲が収録されることもあり、その際にはこれらの全てについて指定された項目に基づいてアーティスト別にグループ分けされることとなる。
【００３０】
上記実施例は利用者がアーティスト別に並び替えを行うように指示した場合であるが、ジャンルで並び替えを行う指定があったときには図７に示されるようなリストが作成される。この例では「Ｐｏｐｓ」「Ｒｏｃｋ」「Ｒ＆Ｂ」のグループに分けられ、各グループに図示するような曲が集められる。
【００３１】
この項目別並べ替えリストメモリ１６のデータに基づき、グループ内代表曲選定部１７では各グループ内から代表曲を選定する。このとき、特に利用者等から予め指定のない場合は、ここにリストアップされたグループ内の曲の中で最初の曲を機械的に選定することができる。そのときには、図６のアーティストの項目で並び替えられた場合、図８に示すように「Ｍｒｉａｈ  Ｃａｒｒｙ」のグループにおいては「Ｅｍｏｔｉｏｎｓ」の曲が選定され、「Ｇｏｏ  Ｇｏｏ  Ｄｏｌｌｓ」のグループでは「Ｓｌｉｄｅ」の曲が選定され、「Ａｃｅ  Ｏｆ  Ｂａｃｅ」のグループでは「Ｌｉｆｅ  Ｉｓ  Ｆｌｏｗｅｒ」の曲が選定されることとなる。
【００３２】
また、図７のジャンルの項目で並び替えられた場合は、「Ｐｏｐｓ」のグループにおいては「Ｍｒｉａｈ  Ｃａｒｒｙ」の「Ｅｍｏｔｉｏｎｓ」の曲が選定され、「Ｒｏｃｋ」のグループにおいては「Ｇｏｏ  Ｇｏｏ  Ｄｏｌｌｓ」の「Ｓｌｉｄｅ」の曲が選定され、「Ｒ＆Ｂ」のグループにおいては「Ｍｒｉａｈ  Ｃａｒｒｙ」の「Ｍｙ  Ａｌｌ」の曲が選定されることとなる。
【００３３】
上記のようなグループ分けが行われた項目別並べ替えリストに基づいて、グループ内代表曲選定部１７では代表曲を選定するに際しては、上記のように各グループ内で先頭にリストアップされた曲を代表曲と機械的に選定する以外に、例えば各曲のうちリリースされた年月の最も新しい曲、プレーヤにメモリが存在するときには以前このプレーヤで聴いたことが記録されている曲等、種々の態様で代表曲を選択することができる。このとき、各グループで必ずしも１つだけを代表曲とすることなく、例えば１つの曲だけではそのグループ内にどのような曲が収録されているかわかりにくいときのために、複数の代表曲を選定することができるようにしておいても良い。
【００３４】
このようにして選ばれた代表曲について曲特徴部情報読取部１８において、項目別並べ替えリストメモリ１６に記録されている各曲の曲特徴部情報を読み取り、そのデータを曲特徴部再生指示部１９に出力する。曲特徴部再生指示部１９では、システムコントローラ１１に対してこの各代表曲の曲特徴部情報、即ち各代表曲についてその曲の「サビ」に相当する部分、繰り返し演奏される部分あるいは曲の最初の部分等、予め設定された特徴部分が記録されているパック番号等の位置を指定する。
【００３５】
ここで、各曲の特徴部分の選定に際しては、利用者がＣＤをＣＤ−ＲＷ等にＭＰ３形式のデータで記録し直すとき、各曲の特徴部分が演奏されたとき、その範囲を指示するキー入力を行うことにより指定することができる。しかしながら、全曲このような操作を行うことが面倒なときには、機械的に曲の先頭の所定時間部分、即ちイントロ部分とすることができ、あるいはその曲に同じ歌詞の繰り返し部分があることを検出することにより、その部分を自動的に曲の特徴部分として指定することもできる。
【００３６】
システムコントローラ１１はその指示に従ってプレーヤ２のサーボドライバ１０に制御信号を出力し、指定された曲の指定された曲特徴部分の再生を行う。その結果ＣＤ１から指定された曲の曲特徴部分の再生が行われ、オーディオ出力部９を介してスピーカから出力される。ここで出力されるオーディオは各項目で並び替えが行われた各グループの代表曲の、しかも特徴とする部分であるので、利用者はこれを聴くことによりそのグループにはどのような曲が入っているのかを容易に推定することができる。
【００３７】
また、一つのグループの再生が終了するまでに、再生グループ指定部２０から利用者がそのグループの曲を再生するように指示があったときには、利用者がそのグループの曲の再生を希望するものと判別し、以降は各グループの代表曲の曲特徴部の再生は終了し、前記利用者が希望したグループの曲について順に各曲の最初から最後までの再生を行う。
【００３８】
上記のように、システムコントローラ１１が１つグループの代表曲の特徴部の再生を行い、曲特徴部の再生が終了したとき、未だ利用者からそのグループの再生を希望する旨の指定がないときには、次のグループの代表曲の曲特徴部の再生を行う。このような作動を各グループについて順に行うことにより、利用者が希望する再生グループが指定され、上記と同様に指定されたグループの曲について順に各曲の最初から最後までの再生が開始される。
【００３９】
なお、システムコントローラ１１には上記のような再生グループ指定部２０の入力の他に、例えば再生されるディスクに少しの曲しか入っていないときのために、ディスプレイに検索情報リスト１３が表示されている状態で、任意の曲を手動で選択することができる再生曲指定部を備えても良い。
【００４０】
上記のような機能ブロックで構成されるオーディオプレーヤにおいて、特にＣＤに大量に収録された曲を任意の項目に関してグループ分けし、グループ内の代表曲の特徴部分を再生してこれを聴き、利用者が希望するグループを選択する機能は、例えば図２に示すような作動フローによって順に作動することができる。以下、この作動フローを前記図１の機能ブロック図及び検索情報リストの例等を参照しつつ説明する。
【００４１】
本発明による曲の特徴部再生による再生グループ選択処理に際しては、最初図１のプレーヤ２が駆動され、ＣＤ１から読み出されたデータの中からＩＤ３タグデータが分離され、その中から必要な項目についてのＩＤ３タグデータの検索が行われ（ステップＳ１）、そのデータに基づき検索情報リストの作成が行われる（ステップＳ２）。ＩＤ３タグの中から読み込むデータとしては、図１において検索情報リスト１３における項目として示されるように、例えば「タイトル」「アーティスト」「ジャンル」「曲特徴部情報」等があり、その他必要に応じてアルバム名、曲がリリースされた年月等の各項目のデータが選択され、読み込まれる。
【００４２】
次いで利用者が予め指定した指定項目別にグループ化したリストを作成する（ステップＳ３）。これは図１における項目別並べ替えリスト作成部１５が、利用者による項目別並べ替え指定部１４からの指示に応じてリストを作成することにより行われ、そのデータは項目別並べ替えリストメモリ１６に記憶される。それにより、利用者が例えばアーティストの項目を指定したときには、図６のようにグループ化したリストが作成され、ジャンルの項目を指定したときには図７のようにグループ化したリストが作成される。
【００４３】
次いでこのようにして作成された項目別並べ替えリストにおいて、グループ分けされた中から各グループ内における代表曲の選定が行われる（ステップＳ４）。これは図１におけるグループ内代表曲選定部１７において行われる。この代表曲の選定に際しては、前記のとおり各グループにおいて最初にリストアップしている曲を機械的に選定することができ、そのほか曲がリリースされた日時等任意の基準で代表曲を設定することもできる。
【００４４】
その後上記のようにして選択された代表曲について、その曲における曲特徴部分情報を読み取る（ステップＳ５）。この作動は図１における曲特徴部情報読み取り部１８において行われる。次いでこのようにして読み取った情報に基づき、グループ順に代表曲の特徴部分を再生する（ステップＳ６）。次いで、この曲特徴部分の再生中に、利用者から再生グループ指定のキー入力がされたか否かを判別する。この判別は、図１における再生グループ指定部２０から利用者がキー等の操作により指定の入力を行ったか否かによって判別される。
【００４５】
その判別の結果、未だそのキー入力がなされていないと判別されてたときには、再びステップＳ６に戻り、グループ順に代表曲の特徴部分を再生する作動を継続する。その途中に利用者から前記キー入力がなされたときには、入力されたときに再生している曲が含まれるグループが利用者が再生を希望しているグループであると判別し、再生グループの確定が行われ、そのグループの全曲の再生を行う指示がなされる。その再生に際しては、項目別並べ替えリストメモリ１６内にメモリされているグループ内の曲の再生を順に行うこととなる。
【００４６】
本発明のオーディオプレーヤは上記のように構成され、作動するものであるが、上記の実施例の他種々の態様で実施することができ、例えば前記実施例においてはＭＰ３データの記憶媒体としてＣＤを用いた例を示したが、これはＤＶＤ、ハードディスク、ＭＤ等のディスク型記録媒体を使用することができるほか、１チップメモリ型の記録媒体等、他の種々の記録媒体を使用することもできる。また、ＭＰ３形式以外の圧縮形式により記録されたデータの再生、あるいは、特別の圧縮を行うことがなくても多数の曲を収録したオーディオデータ記録媒体を作成しこれを再生するときも上記と同様にして実施することができ、同様の効果を奏することができる。
【００４７】
【発明の効果】
本発明は、上記のように構成したので、オーディオ記録媒体から該記録媒体に収録されている曲の情報を記録したデータ部分を検索する収録曲情報検索部と、検索した収録曲情報をリスト化してメモリする検索情報リスト作成部と、前記検索情報リストを、指定された特定の項目についてグループ別に並び替えを行いメモリする並び替えリスト作成部と、前記並べ替えられたグループ別のリストから特定のグループを選択する再生グループ指定部と、指定された再生グループ内の曲を再生するオーディオ再生部とを備えたオーディオプレーヤにおいて、前記収録曲情報検索部では、記録媒体の中で各曲の特徴部が収録されているデータ記録位置を示す情報を検索し、オーディオ再生部では、前記並び替えリストにおけるグループ毎の代表曲を選定し、その曲の特徴部が記録されている位置を含む情報を読み取り、記録媒体のその曲の特徴部を再生し、前記再生グループ指定部では、オーディオ再生部による前記曲の特徴部の再生に対応して再生を希望するグループを指定することを特徴とするオーディオプレーヤとしたものにおいては、多数の曲を収録したオーディオ記録媒体を再生するオーディオプレーヤにおいて、収録された曲をグループ分けして、例えば同じアーティストや同じジャンル等のグループの曲を選択して聴く際、曲の特徴部を聴くことにより容易にそのアーティストやジャンルのグループを知ることができ、特定のグループを容易に選択して再生指示することができる。また、車両用オーディオプレーヤとして用いた場合には、運転者は特に選曲に多くの注意力を奪われることが無く、容易に且つ安全に再生を希望するグループを選択することができる。
【００４８】
また、他の態様として、前記オーディオ記録媒体に収録されている曲はＭＰ３形式で記録されたものであり、前記収録されている曲の特徴部に関する情報を記録したデータ部分はＩＤ３タグ部分であることを特徴とする前記オーディオプレーヤとしたものにおいては、高い圧縮率で記録することができるＭＰ３方式でオーディオデータを記録する記録媒体には、極めて多くの曲を収録することができるため、その中から希望するグループを選択することは困難となるが、この発明においては各グループの代表曲における曲の特徴部を自動的に再生するので、利用者はこれを聴くことによりどのグループの視聴を行うか容易に選択することができる。
【００４９】
また、他の態様として、前記グループ別に並び替える項目は、アーティスト、またはジャンル、またはアルバムであることを特徴とする前記オーディオプレーヤとしたものにおいては、多数の曲から所望の再生グループを選択する際に適切な項目についてグループ分けした曲の中から選択することができ、利用者の希望に添ったグループの選択を行うことができるようになる。
【００５０】
また、他の態様として、前記曲の特徴部は、利用者が指定した部分、または歌詞が繰り返される部分、または曲の先頭部であることを特徴とする前記オーディオプレーヤとしたものにおいては、例えば曲の特徴部を利用者が指定した部分に設定した場合には、利用者により設定された正確な部分を曲の特徴部として記録することができ、また曲の特徴部を歌詞が繰り返される部分とした場合には、一般に歌詞が繰り返される部分はその曲について利用者が良く知っている部分であるので利用者は容易にその曲の属するグループを知ることができ、且つこのような部分はプレーヤーによって自動的に検出することができる部分でもあるので、曲の特徴部を自動的に指定することも可能となる。更に曲の特徴部を曲の先頭部とした場合は、一般に曲の先頭部はイントロ部として利用者が良く知っている部分であることが多いので、利用者は容易にその曲の属するグループを知ることができ、且つプレーヤーによって自動的にこの部分を曲の特徴部として指定することもできる。
【００５１】
また、他の態様として、前記グループの代表曲は、リスト中の最初の曲、またはリリースされた最先の曲、またはこのプレーヤで以前聴いたことのある曲であることを特徴とする前記オーディオプレーヤとしたものにおいては、例えばグループの代表曲としてリスト中の最初の曲とした場合には、グループの代表曲を機械的に容易に決めることができ、簡単なソフトにより、高速で代表曲を選択することができる。また、グループの代表曲をリリースされた最先の曲としたものにおいては、利用者にとって新鮮な曲を代表曲に選定することができ、利用者はその曲が属するグループを容易に理解することができる。
【００５２】
また、他の態様として、前記リストをディスプレイに表示することを特徴とする前記オーディオプレーヤとしたものにおいては、最初に作成される検索情報リストや、指定された項目でグループ分けしたリストをディスプレイに表示することができ、利用者がこのディスプレイを見ることができる状態のときには容易に全体のグループ分けの状況等を理解することができる。
【図面の簡単な説明】
【図１】本発明をＭＰ３形式で圧縮した記録媒体を再生するオーディオプレーヤの実施例の機能ブロック図である。
【図２】同実施例において曲の特徴部再生による再生グループ選択処理の作動フロー図である。
【図３】ＭＰ３形式のオーディオデータにおけるＩＤ３タグの部分データ構成を示す図である。
【図４】ＩＤ３タグに記録されるジャンル番号とジャンル名称の対照表である。
【図５】同実施例においてＩＤ３タグデータを検索することにより得られる情報に基づく検索情報リストの例を示す表である。
【図６】  本発明において検索情報リストをアーティストの項目で並び替えることにより得られるリストの例である。
【図７】本発明において検索情報リストをジャンルの項目で並び替えることにより得られるリストの例である。
【図８】本発明においてアーティストの項目で並び替えたリストに基づいて、グループ別に分けられた各リストの状態を示す図である。
【符号の説明】
１  ＣＤ
２  プレーヤ
６  ＭＰ３システムデコーダ
１０  サーボドライバ
１１  システムコントローラ
１２  ＩＤ３タグデータ検索部
１３  検索情報リスト
１４  項目別並べ替えリスト
１５  項目別並べ替えリスト作成部
１６  項目別並べ替えリストメモリ
１７  グループ内代表曲選定部
１８  曲特徴部情報読取部
１９  曲特徴部再生指示部
２０  再生グループ指定部
【図１】
0003719645.tif 000002
【図２】
0003719645.tif 000003
【図３】
0003719645.tif 000004
【図４】
0003719645.tif 000005
【図５】
0003719645.tif 000006
【図６】
0003719645.tif 000007
【図７】
0003719645.tif 000008
【図８】
0003719645.tif 000009